(57)【要約】  本開示は、多状態シャッターアセンブリのためのシステム、方法、および装置を提供する。多状態シャッターアセンブリは、電子ディスプレイにおいて使用され得る。シャッターアセンブリは、可動の光遮断構成要素を含み得る。シャッターアセンブリは、光遮断構成要素を、完全光遮断状態、実質的透過状態、および部分透過状態を含む３状態の間で移動させるように構成された第１および第２のアクチュエータも含み得る。３状態のうちの少なくとも１つは、第１と第２の両方のアクチュエータが非作動状態であるニュートラル状態である。シャッターアセンブリは、光遮断構成要素を３状態の各々に選択的に移動させるように第１および第２のアクチュエータを制御するように構成されたコントローラも含み得る。
2016521371.tif 000002
【特許請求の範囲】
【請求項１】
装置であって、
可動の光遮断構成要素と、
前記装置に結合され、完全光遮断状態と、実質的透過状態と、部分透過状態を含む３状態の間で前記光遮断構成要素を移動させるように構成された第１および第２のアクチュエータであり、前記３状態のうちの少なくとも１つが、前記第１と第２の両方のアクチュエータが非作動状態であるニュートラル状態である、第１および第２のアクチュエータと、
前記光遮断構成要素を前記３状態の各々に選択的に移動させるように前記第１および第２のアクチュエータを制御するように構成されたコントローラと
を備える装置。
【請求項２】
作動されると、前記光遮断構成要素を前記ニュートラル状態に維持するように構成された第３のアクチュエータを備える、請求項１に記載の装置。
【請求項３】
前記第３のアクチュエータが、前記ニュートラル状態の前記光遮断構成要素の位置のそばまたは下に配置される電極を含む、請求項２に記載の装置。
【請求項４】
前記第３のアクチュエータが透明な導体から形成される、請求項２に記載の装置。
【請求項５】
前記第３のアクチュエータとともに作動されるとき、前記光遮断構成要素を前記ニュートラル状態に維持するように構成された第４のアクチュエータをさらに備える、請求項２に記載の装置。
【請求項６】
前記第１および第２のアクチュエータが、前記部分透過状態と、前記実質的透過状態および前記完全光遮断状態のうちの少なくとも１つとの間でシャッターを移動させるとき、実質的に、前記光遮断構成要素が支持されている基板と平行した平面内で前記光遮断構成要素上に対向する回転力を与えるように構成される、請求項１に記載の装置。
【請求項７】
前記第１および第２のアクチュエータが、前記実質的透過状態と前記完全光遮断状態との間でシャッターを移動させるとき、実質的に、前記光遮断構成要素が支持されている基板と平行した平面内で前記光遮断構成要素上に対向する線形力を与えるように、さらに構成される、請求項６に記載の装置。
【請求項８】
前記第１のアクチュエータが、前記光遮断構成要素の第１のコーナーに結合された第１のコンプライアントビーム電極を含み、前記第２のアクチュエータが、前記光遮断構成要素の第２のコーナーに結合された第２のコンプライアントビーム電極を含み、前記第１のコーナーおよび第２のコーナーが、前記光遮断構成要素上の互いの対角線方向に反対側にある、請求項６に記載の装置。
【請求項９】
作動されると、前記光遮断構成要素を前記ニュートラル状態に維持するように構成された第３のアクチュエータをさらに備える、請求項８に記載の装置。
【請求項１０】
前記第３のアクチュエータが、前記ニュートラル状態の前記光遮断構成要素の位置のそばまたは下に配置される電極を含む、請求項９に記載の装置。
【請求項１１】
前記第３のアクチュエータとともに作動されるとき、前記光遮断構成要素を前記ニュートラル状態に維持するように構成された第４のアクチュエータをさらに備える、請求項９に記載の装置。
【請求項１２】
前記第１および第２のアクチュエータが、第１の開口に対して前記光遮断構成要素を回転させるように構成され、前記第１の開口が、前記装置が組み込まれる表示装置の軸に対してある角度で配置される、請求項１に記載の装置。
【請求項１３】
第１の光遮断構成要素が、第１のピクセルに含まれ、前記装置が、
前記第１のピクセルに隣接した第２のピクセルにおける第２の光遮断構成要素と、
第２の開口に対して前記第２の光遮断構成要素を回転させるように構成された第３のアクチュエータおよび第４のアクチュエータであり、前記第２の開口が、前記表示装置の軸に対してある角度で配置され、前記第２の開口の前記角度が、前記第１および第２のピクセルを分離する隣接の軸を介した前記第１の開口の前記角度の鏡像である、第３のアクチュエータおよび第４のアクチュエータと
をさらに含む、請求項１２に記載の装置。
【請求項１４】
ディスプレイと、
前記ディスプレイと通信するように構成され、画像データを処理するように構成されているプロセッサと、
前記プロセッサと通信するように構成されたメモリデバイスと
をさらに備える、請求項１に記載の装置。
【請求項１５】
少なくとも１つの信号をディスプレイに送るように構成されたドライバ回路と、
画像データの少なくとも一部を前記ドライバ回路に送るように構成されたコントローラと
をさらに備える、請求項１に記載の装置。
【請求項１６】
画像データをプロセッサに送るように構成された画像ソースモジュールをさらに備え、前記画像ソースモジュールが、受信機、トランシーバ、および送信機のうちの少なくとも１つを備える、
請求項１に記載の装置。
【請求項１７】
入力データを受信し、前記入力データをプロセッサに伝えるように構成された入力デバイスをさらに備える、請求項１に記載の装置。
【請求項１８】
装置であって、
可動の光遮断構成要素と、
前記装置に結合され、前記光遮断構成要素を、第１の状態と第２の状態との間で線形に移動させ、前記第２の状態と第３の状態との間で回転移動させるように構成された第１および第２のアクチュエータと
を備える装置。
【請求項１９】
前記第１の状態が実質的透過状態であり、前記第２の状態が完全光遮断状態であり、前記第３の状態が部分透過状態であり、前記実質的透過状態が、第１の電圧を前記第１のアクチュエータに印加することによって達成され、前記完全光遮断状態が、第２の電圧を前記第２のアクチュエータに印加することによって達成され、前記部分透過状態が、第３の電圧を前記第２のアクチュエータに印加することによって達成され、前記第３の電圧が前記第２の電圧よりも大きい
請求項１８に記載の装置。
【請求項２０】
前記第１および第２のアクチュエータが各々、電極のロードビームを前記光遮断構成要素に結合するヒンジを有するコンプライアントビーム電極を含む、請求項１９に記載の装置。
【請求項２１】
前記光遮断構成要素に結合された第１および第２の機械的ストップをさらに備え、前記第１および第２の機械的ストップが、それぞれ前記第１および第２のアクチュエータの方への前記光遮断構成要素の動きを制限するように構成される、請求項１９に記載の装置。
【請求項２２】
作動されると、前記光遮断構成要素を前記ニュートラル状態に維持するように構成された第３のアクチュエータを備える、請求項１８に記載の装置。
【請求項２３】
前記第３のアクチュエータが、前記ニュートラル状態の前記光遮断構成要素の位置のそばまたは下に配置される電極を含む、請求項２２に記載の装置。
【請求項２４】
前記第３のアクチュエータが透明な導体から形成される、請求項２２に記載の装置。
【請求項２５】
前記第３のアクチュエータとともに作動されるとき、前記光遮断構成要素を前記ニュートラル状態に維持するように構成された第４のアクチュエータを備える、請求項２２に記載の装置。
【請求項２６】
前記第１のアクチュエータが、前記光遮断構成要素の第１のコーナーに結合された第１のコンプライアントビーム電極を含み、前記第２のアクチュエータが、前記光遮断構成要素の第２のコーナーに結合された第２のコンプライアントビーム電極を含み、前記第１のコーナーおよび第２のコーナーが、前記光遮断構成要素上の互いの対角線方向に反対側にある、請求項１８に記載の装置。
【請求項２７】
作動されると、前記光遮断構成要素を前記ニュートラル状態に維持するように構成された第３のアクチュエータをさらに備える、請求項２６に記載の装置。
【請求項２８】
前記第３のアクチュエータが、前記ニュートラル状態の前記光遮断構成要素の位置のそばまたは下に配置される電極を含む、請求項２６に記載の装置。
【請求項２９】
前記第３のアクチュエータとともに作動されるとき、前記光遮断構成要素を前記ニュートラル状態に維持するように構成された第４のアクチュエータをさらに備える、請求項２６に記載の装置。
【請求項３０】
前記第１および第２のアクチュエータが、第１の開口に対して前記光遮断構成要素を回転させるように構成され、前記第１の開口が、前記装置が組み込まれる表示装置の軸に対してある角度で配置される、請求項２６に記載の装置。
【発明の詳細な説明】
【技術分野】
【０００１】
関連出願
本特許出願は、本出願の譲受人に譲渡され、参照により本明細書に明確に組み込まれる、２０１３年３月１５日に出願された「ＭＵＬＴＩ−ＳＴＡＴＥ  ＳＨＵＴＴＥＲ  ＡＳＳＥＭＢＬＹ  ＦＯＲ  ＵＳＥ  ＩＮ  ＡＮ  ＥＬＥＣＴＲＯＮＩＣ  ＤＩＳＰＬＡＹ」と題する米国出願第１３／８４１，０５１号の優先権を主張する。
【０００２】
本開示はディスプレイの分野に関し、特に、多状態光変調器を含む電気機械システム（ＥＭＳ）ディスプレイの作製および使用に関する。
【背景技術】
【０００３】
電気機械システム（ＥＭＳ）ベースの光変調器は、明の状態と暗の状態との間で切り替わるバイナリ様式で、光を効果的に調整することができる。たとえば、ＥＭＳベースのシャッターは、光透過状態と光ブロック状態との間で迅速に切り替わり得る。しかしながら、完全に暗い状態と完全に明るい状態との間の別々の部分透過状態を確実に達成することができるＥＭＳベースの光変調器は、ほとんどない。
【０００４】
したがって、ＥＭＳベースの光変調器を組み込んでいるディスプレイは、一連のサブフレームにおいて明の状態または暗の状態に光変調器を駆動することによって時分割の原則を使用して異なるグレースケール値を生成する傾向がある。そのようなサブフレームが重み付けされている場合であっても、そのようなディスプレイは、所望のグレースケール粒度のレベルを得るために、画像フレーム当たり多数のサブフレームを生成することを依然として必要とし得る。
【０００５】
いくつかのＥＭＳベースの光変調器は、対向するアクチュエータで設計されている。実際には、そのような光変調器は、対応可能な状態として、それら２つの作動状態を使用するのみであった。そのような光変調器は、いずれのアクチュエータも作動されていないとき、信頼性が高い、予測可能な様式で挙動するとは限らないので、いずれのアクチュエータも作動されていない、ニュートラル状態は、対応可能な状態として使用されていなかった。
【発明の概要】
【課題を解決するための手段】
【０００６】
本開示のシステム、方法、およびデバイスは、それぞれ、複数の発明的態様を有し、それらの態様のうちのどれ１つ本明細書に開示されている望ましい属性に単独で関与することはない。
【０００７】
本開示で説明する主題の１つの発明的態様は、可動の光遮断構成要素（ｍｏｖａｂｌｅ  ｌｉｇｈｔ  ｏｂｓｔｒｕｃｔｉｎｇ  ｃｏｍｐｏｎｅｎｔ）を含む装置内に実装され得る。装置は、光遮断構成要素を、完全光遮断状態、実質的透過状態、および部分透過状態を含む３状態の間で移動させるように構成された第１および第２のアクチュエータも含み得る。３状態のうちの少なくとも１つは、第１と第２の両方のアクチュエータが非作動状態であるニュートラル状態である。装置は、光遮断構成要素を３状態の各々に選択的に移動させるように第１および第２のアクチュエータを制御するように構成されたコントローラも含み得る。
【０００８】
いくつかの実装形態では、この装置は、第３のアクチュエータを含み得る。作動されると、第３のアクチュエータは、光遮断構成要素をニュートラル状態に維持するように構成され得る。第３のアクチュエータは、ニュートラル状態の光遮断構成要素の位置のそばまたは下に配置される電極を含み得る。いくつかの実装形態では、第３のアクチュエータは、透明な導体から形成され得る。いくつかの実装形態では、この装置は、第３のアクチュエータとともに作動されるとき、光遮断構成要素をニュートラル状態に維持するように構成された第４のアクチュエータも含む。
【０００９】
いくつかの実装形態では、第１および第２のアクチュエータは、実質的透過状態と完全光遮断状態との間でシャッターを移動させるとき、実質的に、光遮断構成要素が支持されている基板と平行した平面内で光遮断構成要素上に対向する線形力を与えるように、さらに構成される。第１のアクチュエータは、光遮断構成要素の第１のコーナーに結合された第１のコンプライアントビーム電極（ｃｏｍｐｌｉａｎｔ  ｂｅａｍ  ｅｌｅｃｔｒｏｄｅ）を含み得、第２のアクチュエータは、光遮断構成要素の第２のコーナーに結合された第２のコンプライアントビーム電極を含み得る。第１のコーナーおよび第２のコーナーは、光遮断構成要素上で互いに対角線方向に反対側にあり得る。いくつかの実装形態では、この装置は、作動されるとき、光遮断構成要素をニュートラル状態に維持するように構成された第３のアクチュエータも含み得る。第３のアクチュエータは、ニュートラル状態の光遮断構成要素の位置のそばまたは下に配置される電極を含み得る。この装置は、第３のアクチュエータとともに作動されるとき、光遮断構成要素をニュートラル状態に維持するように構成された第４のアクチュエータも含み得る。
【００１０】
いくつかの実装形態では、第１および第２のアクチュエータは、第１の開口に対して光遮断構成要素を回転させるように構成され得る。第１の開口は、装置が組み込まれる表示装置の軸に対してある角度で配置され得る。
【００１１】
いくつかの実装形態では、第１の光遮断構成要素は、第１のピクセルに含まれる。この装置は、第１のピクセル、第３のアクチュエータ、および第４のアクチュエータに隣接した第２のピクセルにおける第２の光遮断構成要素を含み得る。第３および第４のアクチュエータは、第２の開口に対して第２の光遮断構成要素を回転させるように構成され得る。第２の開口は、表示装置軸に対してある角度で配置され得る。第２の開口の角度は、第１および第２ピクセルを分離する隣接の軸を介した第１の開口の角度の鏡像であり得る。
【００１２】
いくつかの実装形態では、この装置は、ディスプレイと、ディスプレイと通信するように構成されたプロセッサとも含み得る。プロセッサは、画像データを処理するようにも構成され得る。この装置は、プロセッサと通信するように構成されたメモリデバイスも含み得る。いくつかの実装形態では、この装置は、少なくとも１つの信号をディスプレイに送るように構成されたドライバ回路と、画像データの少なくとも一部をドライバ回路に送るように構成されたコントローラとを含み得る。いくつかの実装形態では、この装置は、画像データをプロセッサに送るように構成された画像ソースモジュールを含み得る。画像ソースモジュールは、１つまたは複数の受信機、トランシーバ、または送信機を含み得る。いくつかの実装形態では、この装置は、入力データを受信し、入力データをプロセッサに伝えるように構成された入力デバイスも含み得る。
【００１３】
本開示で説明する主題の別の発明的態様は、可動の光遮断構成要素を含む装置内に実装され得る。この装置は、装置に結合され、光遮断構成要素を、第１の状態と第２の状態との間で線形に移動させ、第２の状態と第３の状態との間で回転移動させるように構成された第１および第２のアクチュエータを含むこともできる。
【００１４】
いくつかの実装形態では、第１の状態は、実質的透過状態であり、第２の状態は、完全光遮断状態であり、第３の状態は、部分透過状態である。いくつかの実装形態では、実質的透過状態は、第１の電圧を第１のアクチュエータに印加することによって達成され、完全光遮断状態は、第２の電圧を第２のアクチュエータに印加することによって達成され、部分透過状態は、第３の電圧を第２のアクチュエータに印加することによって達成され得る。いくつかの実装形態では、第３の電圧は、第２の電圧よりも大きい。第１および第２のアクチュエータは各々、電極のロードビームを光遮断構成要素に結合するヒンジを有するコンプライアントビーム電極を含み得る。
【００１５】
いくつかの実装形態では、この装置は、光遮断構成要素に結合された第１および第２の機械的ストップを含み得る。第１および第２の機械的ストップは、それぞれ、第１および第２のアクチュエータの方への光遮断構成要素の動きを制限するように構成され得る。いくつかの実装形態では、この装置は、作動されるとき、光遮断構成要素をニュートラル状態に維持するように構成され得る第３のアクチュエータも含み得る。第３のアクチュエータは、ニュートラル状態の光遮断構成要素の位置のそばまたは下に配置される電極を含み得る。いくつかの実装形態では、第３のアクチュエータは、透明な導体から形成され得る。いくつかの実装形態では、この装置は、第３のアクチュエータとともに作動されるとき、光遮断構成要素をニュートラル状態に維持するように構成され得る第４のアクチュエータも含み得る。
【００１６】
いくつかの実装形態では、第１のアクチュエータは、光遮断構成要素の第１のコーナーに結合された第１のコンプライアントビーム電極を含み、第２のアクチュエータは、光遮断構成要素の第２のコーナーに結合された第２のコンプライアントビーム電極を含む。第１のコーナーおよび第２のコーナーは、光遮断構成要素上で互いに対角線方向に反対側にあり得る。
【００１７】
いくつかの実装形態では、この装置は、作動されるとき、光遮断構成要素をニュートラル状態に維持するように構成された第３のアクチュエータを含み得る。第３のアクチュエータは、ニュートラル状態の光遮断構成要素の位置のそばまたは下に配置される電極を含み得る。この装置は、第３のアクチュエータとともに作動されるとき、光遮断構成要素をニュートラル状態に維持するように構成され得る第４のアクチュエータも含み得る。いくつかの実装形態では、第１および第２のアクチュエータは、第１の開口に対して光遮断構成要素を回転させるように構成される。第１の開口は、装置が組み込まれる表示装置の軸に対してある角度で配置され得る。
【００１８】
本明細書で説明する主題の１つまたは複数の実装形態の詳細について、下記の添付の図面および発明を実施するための形態において述べる。本概要で提供される例は主に、ＭＥＭＳベースのディスプレイに関して記載されているが、本明細書で提供する概念は、液晶ディスプレイ（ＬＣＤ）、有機発光ダイオード（ＯＬＥＤ）ディスプレイ、電気蛍光ディスプレイ、および電界放出ディスプレイなど、他のタイプのディスプレイ、ならびに、ＭＥＭＳマイクロフォン、センサー、および光スイッチなど、他の非ディスプレイＭＥＭＳデバイスに適用され得る。他の特徴、態様、および利点は、説明、図面、および特許請求の範囲から明らかになる。以下の図の相対的な寸法は、縮尺通りに描かれていない場合があることに留意されたい。
【図面の簡単な説明】
【００１９】
【図１Ａ】例示的な直視型マイクロ電気機械システム（ＭＥＭＳ）ベースの表示装置の概略図である。
【図１Ｂ】例示的なホストデバイスのブロック図である。
【図２Ａ】部分透過状態の例示的な３状態シャッターアセンブリの上面図である。
【図２Ｂ】完全光ブロック状態の図２Ａに示された３状態シャッターアセンブリの上面図である。
【図２Ｃ】実質的透過状態の図２Ａに示された３状態シャッターアセンブリの上面図である。
【図２Ｄ】代替の３状態シャッターアセンブリの上面図である。
【図２Ｅ】代替の３状態シャッターアセンブリの上面図である。
【図３Ａ】部分透過状態の例示的な３状態シャッターアセンブリの上面図である。
【図３Ｂ】図３Ａに示された３状態シャッターアセンブリの例示的なアレイを示す図である。
【図３Ｃ】実質的透過状態の図３Ａに示された３状態シャッターアセンブリの上面図である。
【図３Ｄ】完全光ブロック状態の図３Ａに示された３状態シャッターアセンブリの上面図である。
【図４Ａ】実質的透過状態の別の例示的な３状態シャッターアセンブリの上面図である。
【図４Ｂ】完全光遮断状態の図４Ａに示された３状態シャッターアセンブリの上面図である。
【図４Ｃ】部分透過状態の図４Ａに示された３状態シャッターアセンブリの上面図である。
【図５】複数の表示要素を含む例示的な表示デバイスのシステムブロック図である。
【図６】複数の表示要素を含む例示的な表示デバイスのシステムブロック図である。
【発明を実施するための形態】
【００２０】
様々な図面中の同様の参照番号および名称は、同様の要素を示す。
【００２１】
以下の説明は、本開示の発明的態様について説明する目的で、いくつかの実装形態を対象とする。ただし、本明細書の教示が多数の異なる方法で適用されてもよいことを、当業者は容易に認識するだろう。詳細な実装形態は、動いている（たとえば、映像）か静止している（たとえば、静止画像）かにかかわらず、また文字であるか、絵であるか、写真であるかにかかわらず、画像を表示するように構成され得る任意のデバイス、装置、またはシステムにおいて実現されてもよい。特に、詳細な実装形態は、モバイル電話、マルチメディアインターネットによって使用できる携帯電話、モバイルテレビ受像機、ワイヤレスデバイス、スマートフォン、Ｂｌｕｅｔｏｏｔｈ（登録商標）デバイス、パーソナルデータアシスタント（ＰＤＡ）、ワイヤレス電子メール受信機、ハンドヘルドコンピュータまたはポータブルコンピュータ、ネットブック、ノートブック、スマートブック、タブレット、プリンタ、複写機、スキャナ、ファクシミリデバイス、全地球測位システム（ＧＰＳ）受信機／ナビゲータ、カメラ、デジタルメディアプレーヤ（たとえば、ＭＰ３プレーヤ）、カムコーダ、ゲームコンソール、腕時計、時計、計算機、テレビモニタ、フラットパネルディスプレイ、電子読取りデバイス（たとえば、電子リーダー）、コンピュータモニタ、自動車用ディスプレイ（走行距離計ディスプレイおよび速度計ディスプレイなどを含む）、コックピット制御機器および／またはディスプレイ、カメラ視野ディスプレイ（車両における後方視野カメラの表示など）、電子写真、街頭ビジョンまたは電子看板、映写機、建築構造、電子レンジ、冷蔵庫、ステレオシステム、カセットレコーダまたはプレーヤ、ＤＶＤプレーヤ、ＣＤプレーヤ、ＶＣＲ、ラジオ、ポータブルメモリチップ、洗濯機、乾燥機、洗濯／乾燥機、駐車メータ、パッケージ構造（電気機械システム（ＥＭＳ）、マイクロエレクトロメカニカルシステム（ＭＥＭＳ）アプリケーション、ならびに非ＥＭＳアプリケーションにおけるものなど）、美的構造（たとえば、宝石または洋服上への画像の表示）、ならびに様々なＥＭＳデバイスなどであるがそれらに限らない様々な電子デバイスに含まれるかまたはそれらの電子デバイスに関連付けられてもよい。本明細書の教示は、電子スイッチングデバイス、無線周波数フィルタ、センサー、加速度計、ジャイロスコープ、動作検知デバイス、磁気計、家庭用電子機器用の慣性構成要素、家庭用電化製品の部品、バラクタ、液晶デバイス、電気泳動デバイス、駆動方式、製造プロセス、および電子試験機器などであるがそれらに限らない非表示用途に使用されてもよい。したがって、この教示は、各図にのみ示されている実装形態に限定されるものではなく、その代わりに当業者に容易に明らかになる広い適用性を有する。
【００２２】
信頼性が高い、安定したニュートラル位置を有する二重アクチュエータ光変調器は、そのような二重アクチュエータ光変調器が確実に第３の安定状態になり、それのままであることを可能にするために提供され得る。この第３の安定した状態が、完全に明るい状態と完全に暗い状態との間の中間状態として使用される場合、そのような光変調器は、２値の操作のみが可能な光変調器よりも少ないサブフレームを使用して時分割グレースケール方式を実施することができる。
【００２３】
いくつかの実装形態では、二重アクチュエータ光変調器は、保持アクチュエータの追加を介して安定した第３の状態を達成するように構成され得る。たとえば、光変調器が導電性シャッターを含む場合、シャッターは、静電保持アクチュエータの１つの電極として働き得る。シャッターの所望のニュートラル位置に近接して配置された第２の電極は、対向電極として使用され得る。第２の電極は、シャッターの所望のニュートラル位置のそばまたは下に配置され得る。
【００２４】
いくつかの他の実装形態では、シャッターに結合された２つの対向するアクチュエータは、シャッターをその意図されたニュートラル位置に確実に戻すように構成され得る。たとえば、矩形のシャッターでは、対向するアクチュエータは、シャッターの対角線方向に反対側のコーナーに結合するそれぞれのコンプライアントロードビームを含み得る。このアクチュエータ構成は、アクチュエータのうちの一方が作動され、他方が作動されていないとき、シャッターを回転移動させることができる。加えて、一方のアクチュエータが作動状態から非作動状態に移行し、他方のアクチュエータが非作動状態から作動状態に移行すると、シャッターは実質的に線形に並進することができる。いくつかの実装形態では、開口は、シャッターに対してある角度で配置され得る。上述したようなシャッターの並進運動と回転運動の組合せは、完全透過状態、完全光遮断状態、および部分透過状態を含む、光変調器の少なくとも３つの安定した状態を可能にすることができる。
【００２５】
いくつかの実装形態では、二重アクチュエータ光変調器は、ヒンジを含むロードビームを含み得る。駆動アクチュエータに印加される第１の電圧によって、アクチュエータは、完全光遮断状態に対応する第１の位置になるようにシャッターを引っ張ることができる。第１の電圧よりも大きい第２の電圧を駆動ビームに印加することによって、シャッターは、部分透過状態に対応する異なる位置に移動することができる。実質的透過状態は、第２のアクチュエータに電圧を印加することによって達成され得る。
【００２６】
本開示で説明する主題の特定の実施態様は、以下の潜在的な利点のうちの１つまたは複数を実現するために実装され得る。安定したニュートラル状態を有する対向するアクチュエータを組み込むことによって、シャッターアセンブリは、開いた、光透過状態、閉じた、光遮断状態、および部分的に開いた、部分透過状態の少なくとも３つの状態になるように構成され得る。シャッターアセンブリの様々な状態は、アクチュエータの構成を変更することによって達成され得る。いくつかの実装形態では、アクチュエータは、対角線方向に反対側のコーナーでシャッターに結合され得、それによって、シャッターは、回転して移動、または線形に移動することができる。いくつかの他の実装形態では、アクチュエータは、アクチュエータのビームにわたって印加される電圧レベルに応じて、シャッターを異なる位置に移動させることができるヒンジを含み得る。３つの安定した状態を達成することができるシャッターアセンブリを含むことによって、表示装置は、より少ないサブフレームを使用して画像を形成することができる。
【００２７】
いくつかの実装形態では、光変調器のシャッターは、開口に対してある角度で配置され得、開口は、表示軸に対して、すなわち、行または列に対して、ある角度であり得る。各シャッターアセンブリは、電子ディスプレイのピクセルを表し得、表示軸に対する隣接するピクセルにおける開口の角度は変わり得る。いくつかの実装形態では、表示軸に対する１つのピクセルにおける開口の角度は、隣接するピクセルにおける開口の角度の鏡像とすることができる。たとえば、隣接する行または隣接する列のピクセルにおける開口の角度は、隣接する行または列において鏡映され得る。開口の角構成は、電子ディスプレイの画素密度または視野角の均一性を向上させることができる。いくつかの他の実装形態では、隣接するピクセルにおける開口の角度は、同じとすることができる。
【００２８】
図１Ａは、例示的な直視型ＭＥＭＳベースの表示装置１００の概略図を示す。表示装置１００は、行および列に配置される複数の光変調器１０２ａ〜１０２ｄ（一般に「光変調器１０２」）を含む。表示装置１００において、光変調器１０２ａおよび１０２ｄは、開状態にあり、光を通過させることができる。光変調器１０２ｂおよび１０２ｃは閉状態にあり、光の通過を遮断する。光変調器１０２ａ〜１０２ｄの状態を選択的に設定することによって、表示装置１００は、ランプ１０５によって照らされる場合、バックライト付きディスプレイのための画像１０４を形成するために使用され得る。別の実施形態では、装置１００は、装置の正面から発せられる環境照明の反映によって画像を形成することができる。別の実装形態では、装置１００は、ディスプレイの正面に配置されるランプからの光の反映によって、すなわち、フロントライトを使用して、画像を形成することができる。
【００２９】
いくつかの実装形態では、各光変調器１０２は、画像１０４におけるピクセル１０６に対応する。いくつかの他の実装形態では、表示装置１００は、画像１０４におけるピクセル１０６を形成するために、複数の光変調器を利用することができる。たとえば、表示装置１００は、３色固有の光変調器１０２を含むことができる。特定のピクセル１０６に対応する色固有の光変調器１０２のうちの１つまたは複数を選択的に開くことによって、表示装置１００は、画像１０４におけるカラーピクセル１０６を生成することができる。別の例では、表示装置１００は、画像１０４における輝度レベルを提供するために、ピクセル１０６当たり２つ以上の光変調器１０２を含む。画像に関して、「ピクセル」は、画像の解像度によって定義される最も小さい画素に対応する。表示装置１００の構造構成要素に関して、「ピクセル」という用語は、画像の単一のピクセルを形成する光を調整するために利用される結合された機械的および電気的構成要素を指す。
【００３０】
表示装置１００は、それが投影アプリケーションで一般的に見られる撮像光学素子を含まない可能性があるという点で、直視型ディスプレイである。投影表示では、表示装置の表面上に形成される画像は、スクリーン上または壁上に投影される。表示装置は、投影画像よりもかなり小さい。直視型表示では、ユーザは、光変調器および随意に表示に見られる明るさおよび／またはコントラストを強化するためのバックライトまたはフロントライトを含む、表示装置を直接見ることによって画像を見る。
【００３１】
直視型表示は、透過または反射モードのいずれかで動作し得る。透過型表示では、光変調器は、ディスプレイの後ろに配置されるランプから発せられる光をフィルタ処理するか、選択的にブロックする。ランプからの光は、各ピクセルが一様に照らされ得るように、ライトガイドまたは「バックライト」に随意に投入される。透過型直視型表示は、光変調器を含む１つの基板がバックライト上に配置されるサンドイッチアセンブリ構成を容易にするために、透明またはガラスの基板上に構築されることが多い。
【００３２】
各光変調器１０２は、シャッター１０８および開口１０９を含むことができる。画像１０４におけるピクセル１０６を照らすために、シャッター１０８は、光が閲覧者の方に向かって開口１０９を通過できるように配置される。ピクセル１０６を非点灯に保つために、シャッター１０８は、光が開口１０９を通過するのを遮断することができるように配置される。開口１０９は、各光変調器１０２における反射または光吸収材料を介してパターン化される開口によって定義される。
【００３３】
表示装置は、シャッターの動きを制御するために、基板および光変調器に接続された制御マトリックスも含む。制御マトリックスは、ピクセルの行当たり少なくとも１つの書込みイネーブル相互接続（ｗｒｉｔｅ−ｅｎａｂｌｅ  ｉｎｔｅｒｃｏｎｎｅｃｔ）１１０（「走査線相互接続」とも呼ばれる）、ピクセルの列当たり１つのデータ相互接続１１２、すべてのピクセル、または少なくとも表示装置１００における複数の列と複数の行の両方からのピクセルに共通電圧を提供する１つの共通相互接続１１４を含む、一連の電気相互接続（たとえば、相互接続１１０、１１２および１１４）を含む。適切な電圧（「書込みイネーブル電圧、ＶＷＥ」）の印加に応答して、ピクセルの所与の行の書込みイネーブル相互接続１１０は、新しいシャッター運動命令を受け付けるように行におけるピクセルを準備する。データ相互接続１１２は、新しい運動命令をデータ電圧パルスの形で伝える。データ相互接続１１２に印加されるデータ電圧パルスは、いくつかの実装形態では、シャッターの静電的な動きに寄与する。いくつかの他の実装形態では、データ電圧パルスは、たとえば、トランジスタ、または光変調器１０２に対する、データ電圧よりも一般的に大きい別々の作動電圧の印加を制御する他の非線形回路素子など、スイッチを制御する。次いで、これらの作動電圧の印加は、シャッター１０８の静電駆動運動をもたらす。
【００３４】
図１Ｂは、例示的なホストデバイス１２０（すなわち、携帯電話、スマートフォン、ＰＤＡ、ＭＰ３プレーヤ、タブレット、電子リーダー、ネットブック、ノートブックなど）のブロック図を示す。ホストデバイス１２０は、表示装置１２８、ホストプロセッサ１２２、環境センサー１２４、ユーザ入力モジュール１２６、および電源を含む。
【００３５】
表示装置１２８は、複数の走査ドライバ１３０（「書込みイネーブル電圧源」とも呼ばれる）、複数のデータドライバ１３２（「データ電圧源」とも呼ばれる）、コントローラ１３４、共通ドライバ１３８、ランプ１４０〜１４６、ランプドライバ１４８、およびたとえば図１Ａに示される光変調器１０２など表示要素のアレイ１５０を含む。走査ドライバ１３０は、書込みイネーブル電圧を走査線相互接続１１０に印加する。データドライバ１３２は、データ電圧をデータ相互接続１１２に印加する。
【００３６】
表示装置のいくつかの実装形態では、データドライバ１３２は、特に画像１０４の輝度レベルがアナログ様式で導出される場合、アナログデータ電圧を表示要素のアレイ１５０に供給するように構成される。アナログ操作では、光変調器１０２は、ある範囲の中間電圧がデータ相互接続１１２を介して印加されるとき、シャッター１０８におけるある範囲の中間開状態、およびしたがって画像１０４におけるある範囲の中間の照明状態または輝度レベルが得られるように設計される。他の場合には、データドライバ１３２は、２、３、または４デジタル電圧レベルの低減されたセットのみをデータ相互接続１１２に印加するように構成される。これらの電圧レベルは、デジタル様式で、開状態、閉状態、または他の別々の状態をシャッター１０８の各々に設定するように設計されている。
【００３７】
走査ドライバ１３０およびデータドライバ１３２は、デジタルコントローラ回路１３４（「コントローラ１３４」とも呼ばれる）に接続されている。コントローラは、あらかじめ決定され、行ごと、および画像フレームごとにグループ化され得る、順に編成された主に連続方式でデータドライバ１３２にデータを送る。データドライバ１３２は、直列／並列データコンバータ、レベルシフティング、および適用例によっては、デジタル／アナログ電圧コンバータを含み得る。
【００３８】
表示装置は、随意に、共通電圧源とも呼ばれる１組の共通ドライバ１３８を含む。いくつかの実装形態では、共通ドライバ１３８は、たとえば一連の共通相互接続１１４に電圧を供給することによって、表示要素のアレイ１５０内のすべての表示要素にＤＣ共通電位を提供する。いくつかの他の実装形態では、共通ドライバ１３８は、コントローラ１３４からのコマンドに従い、アレイ１５０の複数の行および列におけるすべての表示要素の同時の作動を駆動および／または開始することができる、たとえばグローバル作動パルスなど、電圧パルスまたは信号を表示要素のアレイ１５０に送出する。
【００３９】
異なる表示機能のためのドライバのすべて（たとえば、走査ドライバ１３０、データドライバ１３２、および共通ドライバ１３８）は、コントローラ１３４によって時間同期される。コントローラからのタイミングコマンドは、ランプドライバ１４８を介した赤色、緑色、青色、および白色のランプ（それぞれ１４０、１４２、１４４および１４６）の照度、表示要素のアレイ１５０内の特定の行の書込みイネーブルおよびシーケンシング、データドライバ１３２からの電圧の出力、および表示要素の作動を提供する電圧の出力を調整する。いくつかの実装形態では、ランプは、発光ダイオード（ＬＥＤ）である。
【００４０】
コントローラ１３４は、シャッター１０８の各々が新しい画像１０４に適切な照明レベルにリセットされ得るシーケンシングまたは対応方式を決定する。新しい画像１０４は、周期的間隔で設定され得る。たとえば、ビデオ表示では、色画像１０４またはビデオのフレームは、１０から３００ヘルツ（Ｈｚ）に及ぶ周波数でリフレッシュされる。いくつかの実装形態では、アレイ１５０に対する画像フレームの設定は、交互の画像フレームが、たとえば赤色、緑色、青色、および白色など、交互の一連の色で照らされるように、ランプ１４０、１４２、１４４および１４６の照明と同期される。各それぞれの色の画像フレームは、カラーサブフレームと呼ばれる。この方法では、フィールドシーケンシャルカラー方法と呼ばれ、カラーサブフレームが２０Ｈｚを上回る周波数で交替する場合、人間の脳は、交互のフレーム画像を平均して広いおよび連続した範囲の色を有する画像を知覚する。代替実装形態では、原色を有する４つ以上のランプは、赤色、緑色、青色、および白色以外の原色を使用する表示装置１００で使用され得る。
【００４１】
いくつかの実装形態では、表示装置１００が開状態と閉状態との間でのシャッター１０８のデジタル切替えのために設計される場合、コントローラ１３４は、前に説明したように、時分割グレースケールの方法によって画像を形成する。いくつかの他の実装形態では、表示装置１００は、ピクセル当たり複数のシャッター１０８を使用することにより、グレースケールを提供することができる。
【００４２】
いくつかの実装形態では、画像１０４状態のデータは、走査線とも呼ばれる個々の行の順次対応によって、コントローラ１３４によって表示要素アレイ１５０にロードされる。シーケンスの行または走査線ごとに、走査ドライバ１３０は、書込みイネーブル電圧を、アレイ１５０のその行の書込みイネーブル相互接続１１０に印加し、その後、データドライバ１３２は、選択された行における列ごとに、所望のシャッター状態に対応するデータ電圧を供給する。このプロセスは、データがアレイ１５０におけるすべての行のためにロードされるまで、繰り返す。いくつかの実装形態では、データのロードのための選択された行のシーケンスは線形であり、アレイ１５０において上から下に進む。いくつかの他の実装形態では、視覚的アーティファクトを最小化するために、選択された行のシーケンスは、擬似ランダム化される。また、いくつかの他の実装形態では、シーケンシングは、ブロックによって編成され、この場合、あるブロックで、たとえばシーケンスにおけるアレイ１５０の５行目ごとのみに対応することによって、画像１０４状態のある一部分のみのデータがアレイ１５０にロードされる。
【００４３】
いくつかの実装形態では、アレイ１５０に画像データをロードするためのプロセスは、アレイ１５０における表示要素を作動させるプロセスから、時間的に分離される。これらの実装形態では、表示要素アレイ１５０は、アレイ１５０における各表示要素のデータメモリ要素を含むことができ、制御マトリックスは、メモリ要素に記憶されたデータに従ってシャッター１０８の同時の作動を開始するために、共通ドライバ１３８からトリガ信号を運ぶためのグローバル作動相互接続を含み得る。
【００４４】
代替実装形態では、表示要素のアレイ１５０および表示要素を制御する制御マトリックスは、矩形の行および列以外の構成で配置され得る。たとえば、表示要素は、六角形のアレイまたは曲線の行および列で配置され得る。一般に、本明細書で使用する走査線という用語は、書込みイネーブル相互接続を共有する任意の複数の表示要素を指すものとする。
【００４５】
ホストプロセッサ１２２は、一般に、ホストの動作を制御する。たとえば、ホストプロセッサ１２２は、携帯用電子デバイスを制御するための汎用または専用プロセッサとすることができる。ホストデバイス１２０内に含まれる表示装置１２８に関して、ホストプロセッサ１２２は、画像データ、ならびにホストについての追加のデータを出力する。そのような情報は、たとえば周囲光または温度など、環境センサーからのデータ、たとえば、ホストの動作モードまたはホストの電源に残っている電力量を含む、ホストに関する情報、画像データの内容に関する情報、画像データのタイプに関する情報、および／または撮像モードを選択するのに使用する表示装置のための命令を含み得る。
【００４６】
ユーザ入力モジュール１２６は、直接、またはホストプロセッサ１２２を介して、コントローラ１３４にユーザの個人的な選好を伝達する。いくつかの実装形態では、ユーザ入力モジュール１２６は、ユーザが、たとえば「より濃い色」、「より良いコントラスト」、「より低電力」、「増加した明るさ」、「スポーツ」、「ライブアクション」または「アニメーション」など、個人的な選好をプログラムするソフトウェアによって制御される。いくつかの他の実装形態では、これらの選好は、たとえばスイッチまたはダイヤルなどのハードウェアを使用して、ホストに入力される。コントローラ１３４への複数のデータ入力は、最適な撮像特性に対応する様々なドライバ１３０、１３２、１３８および１４８にデータを提供するようコントローラに指示する。
【００４７】
環境センサーモジュール１２４も、ホストデバイス１２０の一部として含まれ得る。環境センサーモジュール１２４は、たとえば温度、および／または周囲光状態など、周囲環境に関するデータを受信する。センサーモジュール１２４は、デバイスが屋内またはオフィス環境で動作しているか、明るい昼光の屋外の環境で動作しているか、夜間に屋外の環境で動作しているかを区別するようにプログラムされ得る。センサーモジュール１２４は、コントローラ１３４が周囲環境に応答して閲覧状態を最適化することができるように、ディスプレイコントローラ１３４にこの情報を伝える。
【００４８】
図２Ａは、部分透過状態の例示的な３状態シャッターアセンブリ２００の上面図を示す。シャッターアセンブリ２００は、シャッター２０６に結合された対向するアクチュエータ２０２および２０４を含む。各アクチュエータ２０２および２０４は、それぞれ、２つのビーム２０１および２０３、ならびに２０５および２０７を含む。シャッターアセンブリ２００はまた、開口２０８および保持電極２０９を含む。シャッター２０６は、開口２０８の上に配置される。シャッター２０６は、開口２０８の位置がシャッター２０６の下に見られ得るように、部分透明として示される。しかしながら、実際には、シャッター２０６は不透明であり、その結果、その経路の光は、実質的に完全に遮断される。
【００４９】
アクチュエータ２０２および２０４は、コンプライアントビームアクチュエータである。アクチュエータ２０２および２０４は、アクチュエータ２０４のビーム２０５および２０７にわたる、またはアクチュエータ２０２のビーム２０１および２０３にわたる作動電圧以上の電圧を印加することによってシャッター２０６が懸架される基板表面（図示せず）に平行した平面において実質的にシャッター２０６を駆動することによって、シャッター２０６を移動させる。適切な作動電圧は、約１０Ｖから約４５Ｖに及ぶ。ビーム２０３および２０７は、それぞれ、アンカー２５１ｂおよび２５１ｄによって固定される。シャッター２０６は、それぞれ、ビーム２０１および２０５に接続されたアンカー２５１ａおよび２５１ｃによって、開口２０８上に短距離懸架される。ビーム２０１および２０５は、シャッター２０６の端部に結合し、基板の面に平行した平面に実質的にシャッター２０６の動きを限定する。いくつかの実装形態では、ビーム２０１および２０５は、ジッピング作動運動を容易にするために、アクチュエータ２０２および２０４のいずれかが作動されるとき変形し得る可撓性材料から作られる。いくつかの実装形態では、アクチュエータ２０２および２０４の作動は、電圧ドライバによって制御され得る。たとえば、シャッターアセンブリ２００は、図１Ｂに示される光変調器のアレイ１５０の要素とすることができる。コントローラ１３４は、図１Ｂに示される電圧ドライバ１３８に命令を伝えることができ、次いで、作動電圧がシャッターアセンブリ２００に印加され得る。そのような通信を介して、コントローラ１３４は、シャッターアセンブリ２００のアクチュエータ２０２および２０４に、ニュートラルの（または弛緩した）部分透過状態、完全閉状態、および実質的に開いたまたは光透過状態を達成させ得る。
【００５０】
いくつかの実装形態では、シャッターアセンブリ２００は、電子表示モジュールの一部である。たとえば、シャッターアセンブリ２００は、表示の単一のピクセルを表し得る。いくつかの実装形態では、バックライトは、開口２０８を介して輝き、画像の形成に寄与し得る。シャッター２０６は、開口２０８を出る一部の光を遮断するように配置され得、それによって、表示の閲覧者によって見られる光のレベルに影響を及ぼす。暗いピクセルは、シャッター２０６を完全に閉じることによって作成され得、明るいピクセルは、シャッター２０６を完全に開けることによって作成され得る。明るさの中間レベルは、シャッター２０６を部分的に閉じることによって表示され得、開口２０８を通過する一部の光のみが、表示モジュールを出て画像を形成することができる。
【００５１】
シャッターアセンブリ２００は、図２Ａにはニュートラル状態で示されており、対向するアクチュエータ２０２および２０４のいずれも作動されていない。この状態で、シャッター２０６は、開口２０８を部分的に遮断する。いくつかの実装形態では、この部分透過状態では、シャッター２０６は、開口２０８を通過する光の約５０％が、表示を出て、画像の形成に寄与できるようにする。いくつかの他の実装形態では、シャッターアセンブリ２００は、この部分透過状態である間、異なるパーセンテージの光が表示を出ることができるように構成される。たとえば、シャッターアセンブリ２００は、シャッターアセンブリ２００がニュートラル状態であるとき、開口２０８を通過する光の約１０％、２５％、３３％、５０％、６６％、７５％、９０％、または任意の他のパーセンテージが表示を出ることができるように構成され得る。
【００５２】
シャッターアセンブリ２００は、シャッター２０６のニュートラル位置を維持するのを助けるための保持電極２０９を含む。いくつかの実装形態では、保持電極２０９は、同じ基板に、シャッターアセンブリ２００を作製するために使用される同じプロセスの一部として、作製される。たとえば、シャッター２０６は、導電性材料から形成され得、実質的に保持電極２０９と同じ平面に配置され得る。したがって、シャッター２０６および保持電極２０９は、電圧がそれらにわたって印加されるとき、互いに静電力を及ぼすことができる。
【００５３】
保持電極２０９の位置は、シャッター２０６の所望のニュートラル位置に揃うように選択され得る。したがって、対向するアクチュエータ２０２および２０４が非アクティブ化されると、シャッター２０６がそのニュートラル位置に移動することができ、横のアクチュエータ２０９がアクティブ化され得る。横のアクチュエータ２０９のアクティブ化によって、シャッター２０６はそのニュートラル状態に迅速に移行し、そのニュートラル状態のシャッター２０６の静止位置に対するより正確な制御が可能になる。
【００５４】
いくつかの実装形態では、シャッターアセンブリ２００は、保持電極２０９がアクティブ化されると、シャッター２０６が保持電極２０９の方に移動するのが防止されるように構成される。たとえば、比較的小さい大きさの電圧は、結果として生じる静電力がシャッター２０６を引っ張り保持電極２０９に揃うようにし、しかし保持電極２０９の方にシャッター２０６を引っ張らないように、または少なくともそのような動きを低減するように、電圧がシャッター２０６および保持電極２０９にわたって印加されるように選択され得る。いくつかの実装形態では、保持電極２０９に印加される適切な電圧は、約１．０Ｖから約３．０Ｖに及ぶ。保持電極２０９の方へのシャッターの動きの防止は、他の方法で達成され得る。たとえば、ビーム２０１および２０５は、保持電極２０９の方向へのシャッター２０６の移動を制限するように構築され得、または、保持電極２０９は、シャッター２０６の端部から比較的大きい距離離れて配置され得る。
【００５５】
図２Ｂは、完全光遮断状態の図２Ａに示された３状態シャッターアセンブリ２００の上面図を示す。シャッター２０６は、実質的に、開口２０８を通過する光が、シャッターアセンブリ２００が使用される表示から抜けることができないように、開口２０８上に直接配置される。図２Ａと同様に、説明のために、シャッター２０６は、図２Ｂでは透明なように表されるが、実際には実質的に不透明である。
【００５６】
アクチュエータ２０２および２０４は各々、静電力を介してシャッター２０６を移動させることができる１対の電極を含む。たとえば、アクチュエータ２０４にわたる電圧の印加は、アクチュエータ２０４の２つのビーム２０５および２０７を一緒に引っ張る傾向がある静電力を作る。
【００５７】
図２Ｃは、実質的透過状態の図２Ａに示された３状態シャッターアセンブリ２００の上面図を示す。シャッター２０６のどの部分も、開口２０８上に配置されていない。したがって、開口２０８を通過する光の実質的にすべてが、シャッターアセンブリ２００が使用される表示から抜けることができる。
【００５８】
図２Ｄは、代替の３状態シャッターアセンブリ２１０の上面図を示す。シャッターアセンブリ２１０は、図２Ａ〜図２Ｃに示されるシャッターアセンブリ２００と類似している。図２Ａ〜図２Ｃに示されるシャッターアセンブリ２００とは対照的に、シャッターアセンブリ２１０は、シャッター２０６のいずれかの側に１つの１対の保持電極２１９を含む。図２Ｄは、部分透過状態のシャッターアセンブリ２１０を示す。
【００５９】
シャッターアセンブリ２１０は、図２Ｃに関して上記で説明したように、アクチュエータ２０２にわたって電圧を印加することによって、安定した完全透過状態に移動され得る。同様に、シャッターアセンブリ２１０は、図２Ｂに関して上記で説明したように、アクチュエータ２０４にわたって電圧を印加することによって、安定した完全光遮断状態に移動され得る。図２Ｄに示される部分透過状態では、電圧は、対向するアクチュエータ２０２と２０４の両方から除去され、電圧は、保持電極２１９の両方に印加される。シャッター２０６は、導電性であり、保持電極２１９の各々とともに静電アクチュエータの対向電極を形成することができる。いくつかの実装形態では、保持電極２１９の各々に等しい電圧を印加することによって、および保持電極２１９を、それらが各々シャッター２０６の対向する端部から等しい距離だけ離れるように配置することによって、部分透過状態のシャッター２０６の安定性が向上し得る。そのような構成は、部分透過状態のシャッター２０６の望ましくない移動を低減するのを助けることができる。いくつかの実装形態では、それぞれの保持電極２１９に印加される電圧、または、それぞれの保持電極２１９とシャッター２０６との間の間隔は、対向する保持電極２１９の方へのシャッター２０６の横方向の移動に関して、シャッターアセンブリの剛性における任意の変化を考慮に入れるために、異なる。
【００６０】
図２Ｅは、第２の代替の３状態シャッターアセンブリ２２０の上面図を示す。シャッターアセンブリ２２０が、図２Ａ〜図２Ｃに示されるように、シャッター２０６のそばの代わりにシャッター２０６の下に配置される保持電極２２９を含むことを除いて、シャッターアセンブリ２２０は、図２Ａ〜図２Ｃに示されるシャッターアセンブリ２００と類似している。図２Ｅは、部分透過状態のシャッターアセンブリ２２０を示す。説明のために、シャッター２０６は、図２Ｅでは透明なように表されるが、実際には実質的に不透明である。
【００６１】
シャッターアセンブリ２２０は、図２Ｃに関して上記で説明したように、アクチュエータ２０２にわたって電圧を印加することによって、安定した完全透過状態に移動され得る。同様に、シャッターアセンブリ２１０は、図２Ｂに関して上記で説明したように、アクチュエータ２０４にわたって電圧を印加することによって、安定した完全光遮断状態に移動され得る。図２Ｅに示される部分透過状態では、電圧は、対向するアクチュエータ２０２と２０４の両方から除去され、電圧は、保持電極２２９に印加される。シャッター２０６は、導電性とすることができ、保持電極２２９とともに静電アクチュエータの対向電極を形成することができる。いくつかの実装形態では、保持電極２２９は、開口２０８が形成される基板表面に配置され得る。いくつかの他の実装形態では、シャッターアセンブリ２２０を組み込む表示は、シャッターアセンブリ２２０が、２つの基板の間に配置され、保持電極２２９が、対向する基板の表面に配置され得るように、対向する基板を含み得る。保持電極２２９のサイズは、シャッター２０６のサイズに一致するように選択され得る。保持電極２２９の位置は、所望のレベルの部分透過を達成するために、電圧がアクチュエータ２０２および２０４に印加されないとき、それが、その所望のニュートラル状態のシャッター２０６の位置、すなわち、シャッターの所望の位置に揃うように選択される。そのような構成は、電圧が保持電極２２９に印加されるとき、部分透過状態のシャッター２０６の望ましくない移動を低減するのを助けることができる。
【００６２】
図２Ｅに示されるように、保持電極２２９は、開口２０８に部分的に重なる。保持電極２２９が開口２０８を移動する光を遮断するのを防止するために、保持電極２２９は、透明な導体から形成され得る。たとえば、いくつかの実装形態では、保持電極２２９は、酸化インジウムスズ（ＩＴＯ）から形成される。電圧が保持電極２２９に印加されると、シャッター２０６は、安定した部分透過状態に保持され得る。
【００６３】
図３Ａは、部分透過状態の例示的な３状態シャッターアセンブリ３００の上面図を示す。シャッターアセンブリ３００は、シャッター３０６に結合された対向するアクチュエータ３０２および３０４を含む。各アクチュエータ３０２および３０４は、それぞれ、２つのビーム３０１および３０３、ならびに３０５および３０７を含む。ビーム３０１および３０５は、シャッター３０６の対角線方向に反対側のコーナーに結合される。ビーム３０１および３０５はまた、それぞれ、アンカー３５１ａおよび３５１ｃによって支持される。ビーム３０３および３０７は、それぞれ、アンカー３５１ｂおよび３５１ｄによって支持される。シャッターアセンブリ３００は、シャッター３０６の下の基板に形成される開口３０８も含む。シャッター３０６は、開口３０８の上に配置されており、説明のために部分的に透明であるものとして示されているが、実際には不透明である。
【００６４】
シャッターアセンブリ３００は、図３Ａにはニュートラル状態で示されており、対向するアクチュエータ３０２および３０４のいずれも作動されていない。図３Ａに示されるように、開口３０８は、シャッター３０６がニュートラルのシャッターアセンブリ状態で開口３０８を部分的にカバーするように、シャッター３０６に対してある角度で配置される。いくつかの実装形態では、シャッター３０６と開口３０８との間に形成される角度は、約５〜約１５度の範囲内である。いくつかの他の実装形態では、シャッター３０６と開口３０８との間に形成される角度は、約３０度、４５度、６０度、または任意の他の角度である。いくつかの実装形態では、ニュートラル状態では、シャッター３０６は、開口３０８を通過する光の約５０％が、表示を出て、画像の形成に寄与できるようにする。いくつかの他の実装形態では、シャッターアセンブリ３００は、異なるパーセンテージの光が、ニュートラル状態で、開口３０８を通過した後、表示を出ることができるように構成される。たとえば、シャッターアセンブリ３００は、この部分透過状態である間、開口３０８を通過する光の約１０％、２５％、３３％、５０％、６６％、７５％、９０％、または任意の他のパーセンテージが、この表示を出ることができるように構成され得る。いくつかの実装形態では、それぞれ図２Ａ、図２Ｄ、および図２Ｅに示される保持電極２０９、２１９または２２９と類似した保持電極は、シャッター３０６をそのニュートラル位置に保つために使用され得る。アクチュエータ３０２および３０４は、コンプライアントビームアクチュエータであり、図２Ａに示され、上述したアクチュエータ２０２および２０４とほぼ同じ方法で動作する。いくつかの実装形態では、アクチュエータ３０２および３０４の作動は、電圧ドライバによって制御され得る。たとえば、シャッターアセンブリ３００は、図１Ｂに示される光変調器のアレイ１５０の要素とすることができる。コントローラ１３４は、図１Ｂに示される電圧ドライバ１３８に命令を伝えることができ、次いで、作動電圧がシャッターアセンブリ３００に印加され得る。そのような通信を介して、コントローラ１３４は、シャッターアセンブリ３００のアクチュエータ３０２および３０４に、すぐ上に記載したニュートラルの（または弛緩した）部分透過状態、ならびに完全閉状態、および後述する実質的に開いたまたは光透過状態を達成させ得る。
【００６５】
図３Ｂは、図３Ａに示された３状態シャッターアセンブリ３００の例示的なアレイを示す。隣接する列におけるシャッターアセンブリ３００は、隣接の垂直軸３７０によって分離され、隣接する行におけるシャッターアセンブリ３００は、隣接の水平軸３８０によって分離される。隣接する列および行におけるシャッターアセンブリは、開口を表示の軸に対して様々な角度で配向させ得る。いくつかの実装形態では、シャッターアセンブリ３００は、表示のピクセルを表し、第１の行におけるピクセルのすべては、開口を同じ角度で配置させ得、一方、隣接する行におけるピクセルは、開口を第１の行における開口の角度を鏡映するある角度で配置させる。たとえば、シャッターアセンブリ３００ａの開口３０８の角度は、シャッターアセンブリ３００ｃの開口の角度の隣接の水平軸３８０を介した反映に等しい。いくつかの他の実装形態では、ある列におけるピクセルのすべては、開口を同じ角度で配置させ得、一方、隣接する列におけるピクセルは、開口を第１の列における開口の角度を鏡映するある角度で配置させる。たとえば、シャッターアセンブリ３００ａの開口３０８の角度は、シャッターアセンブリ３００ｂの開口の角度の隣接の垂直軸３７０を介した反映に等しい。いくつかの他の実装形態では、隣接する行または列におけるシャッターアセンブリの開口はすべて、同一角度で配置され得る。いくつかの実装形態では、角度方向は、表示のための改良された視野角均一性を提供することができる。
【００６６】
図３Ｃは、実質的透過状態の図３Ａに示された３状態シャッターアセンブリの上面図を示す。この状態で、シャッター３０６のどの部分も、開口３０８上に配置されていない。したがって、開口３０８を通過する光の実質的にすべてが、シャッターアセンブリ３００が使用される表示から抜けることができる。
【００６７】
シャッター３０６がそのニュートラル位置にある間、電圧がアクチュエータ３０２に印加されるとき、たとえば、図３Ａに示されるニュートラル状態から図３Ｃに示される状態に移行するとき、シャッター３０６は、もはや開口３０８を遮断しなくなるまで、回転（また、いくつかの実装形態では、並進）移動することができる。シャッター３０６の最初のニュートラル位置は、図３Ｃにおいて破線で示される。シャッター３０６は、ニュートラル位置では、開口３０８に対してある角度で配置されているが、いくつかの実装形態では、アクチュエータ３０２に寄与する回転運動によって、シャッター３０６は、シャッター３０６が図３Ｃに示される完全透過状態に移動されるとき、開口３０８と実質的に同じ角度で配置される。シャッター３０６は、電圧がアクチュエータ３０２にわたって印加される限り、その完全透過状態で安定したままであり得る。シャッターが異なる状態に移行すべきとき、電圧は、アクチュエータ３０２から除去され得る。
【００６８】
図３Ｄは、完全光ブロック状態の図３Ａに示された３状態シャッターアセンブリ３００の上面図を示す。完全光ブロック状態では、シャッター３０６は、開口３０８上に直接配置され、開口３０８を通過する光が表示装置から出るのを防ぐ。
【００６９】
シャッター３０６が図３Ｃに示されるその完全透過状態と図３Ｄに示されるその完全光遮断状態との間で移行するとき、その運動は、主に並進であり得る。その結果、シャッター３０６は、開口３０８を完全にカバーするように再配置されるので、開口３０８に実質的に揃えられたままである。シャッター３０６の最初のニュートラル位置は、図３Ｄにおいて破線で示される。図３Ｄに示されるその完全光遮断位置と図３Ａに示されるその部分透過状態との間でシャッター３０６が移動するとき、シャッター３０６の移動は主に回転であり得る。同様に、図３Ｃに示されるその完全透過位置と図３Ａに示されるその部分透過状態との間でシャッターが移動するとき、いくつかの実装形態では、シャッター３０６の移動は、部分的に回転および部分的に並進でもあり得る。
【００７０】
図４Ａは、実質的透過状態の別の例示的な３状態シャッターアセンブリ４００の上面図を示す。シャッターアセンブリ４００は、たとえば、シャッター４０６に結合される対向するアクチュエータ４０２および４０４など、図２Ａに示されるシャッターアセンブリ２００および図３Ａに示されるシャッターアセンブリ３００の特徴の多くを含む。各アクチュエータ４０２および４０４は、それぞれ、２つのビーム４０１および４０３、ならびに４０５および４０７を含む。ビーム４０１は、アンカー４５１ａによって支持され、ビーム４０３は、アンカー４５１ｂによって支持され、ビーム４０５は、アンカー４５１ｃによって支持され、ビーム４０７は、アンカー４５１ｄによって支持される。ビーム４０１は、曲がりヒンジ４１１を含み、ビーム４０５は、曲がりヒンジ４１３を含む。シャッターアセンブリ４００は、開口４０８も含む。シャッター４０６は、開口４０８の上に配置され、開口４０８に揃えられるとき、光を遮断するように構成される。シャッター４０６は、２つの機械的ストップ４１５および４１７も含む。いくつかの実装形態では、アクチュエータ４０２および４０４の作動は、電圧ドライバによって制御され得る。たとえば、シャッターアセンブリ４００は、図１Ｂに示される光変調器のアレイ１５０の要素とすることができる。コントローラ１３４は、図１Ｂに示される電圧ドライバ１３８に命令を伝えることができ、次いで、作動電圧がシャッターアセンブリ４００に印加され得る。そのような通信を介して、コントローラ１３４は、シャッターアセンブリ４００のアクチュエータ４０２および４０４に、ニュートラルの（または弛緩した）開いたまたは実質的透過状態、完全閉状態、および後述する実質的に開いたまたは光透過状態を達成させ得る。
【００７１】
シャッターアセンブリ４００は、アクチュエータ４０２が作動されている状態で、図２Ｃに示されているものと類似の実質的透過状態で示される。ビーム４０１および４０３は、電圧がアクチュエータ４０２にわたって印加されるとき、互いの方に引っ張られ得る静電アクチュエータの対向電極を形成する。アクチュエータ４０２および４０４は、図２Ａに示され、上述したアクチュエータ２０２および２０４とほぼ同じ方法で動作する。
【００７２】
電極４０４は、開口４０８上にシャッター４０６を後退させる傾向がある対向する力を防止するために、作動されない。いくつかの実装形態では、ビーム４０１および４０５は、ジッピング作動運動を容易にするために、アクチュエータ４０２および４０４のいずれかが作動されるとき変形し得る可撓性材料から作られる。図４Ａに示される実質的透過状態では、機械的ストップ４１５は、ビーム４０１と接触して、シャッターがアクチュエータ４０２の方にさらに移動するのを防止し、シャッターを開口４０８に対して望ましい角度に保つことができる。
【００７３】
図４Ｂは、完全光遮断状態の図４Ａに示された３状態シャッターアセンブリ４００の上面図を示す。シャッター４０６は、開口４０８を通過する光が、シャッターアセンブリ４００が使用される表示から抜けることができないように、開口４０８上に直接配置される。説明のために、シャッター４０６は、図４Ｂでは透明なように表されるが、実際には実質的に不透明である。
【００７４】
いくつかの実装形態では、ビーム４０５は、ヒンジ４１３で曲がり得る。したがって、電極４０４にわたって印加される電圧は、シャッター４０６とのビームの接続に関してヒンジ４１３に遠位のビーム４０５の部分をビーム４０７に完全に接触させることができ、一方、ヒンジ４１３に関してシャッター４０６に近位のビーム４０５の部分は、ビーム４０７から分離されたままである。すなわち、アクチュエータ４０４にわたる静電力は、ビームを完全に接触させるようにするために、ビーム４０５の剛性を完全に克服するには十分でない。いくつかの実装形態では、開口４０８に適切に揃うことを確実にするのを助けるために、シャッター４０６が図４Ｂに示されるようにその完全光遮断状態であるとき、機械的ストップ４１７は引っ張られてビーム４０５と接触するようになる。
【００７５】
図４Ｃは、部分透過状態の図４Ａに示された３状態シャッターアセンブリ４００の上面図を示す。図４Ｂに示される完全光遮断状態のように、アクチュエータ４０４は、図４Ｃに示される部分透過状態で作動される。しかしながら、部分透過状態では、アクチュエータ４０４に印加される作動電圧は、完全光遮断状態で印加される第１の作動電圧よりも大きい。様々な実装形態では、第１の作動電圧は、約１５と約４５Ｖとの間とすることができ、第２の作動電圧は、第１の電圧よりも大きい約３Ｖと約１０Ｖとの間とすることができる。より大きい電圧の結果、ビーム４０５上の静電力も、比例してより大きくなり得る。
【００７６】
ビーム４０５上のより大きい力は、ビーム４０５の剛性に打ち勝ち、シャッター４０６に近位および遠位のビーム４０５の部分がいずれもビーム４０７と接触するようになる。ビーム４０５の右側の部分がビーム４０７に揃うように引き下ろされるとき、シャッター４０６は、回転力を経験する。その結果、開口４０８の一部がシャッター４０６によって遮断されていないままであるように、シャッター４０６は、開口４０８に対してある角度で配置される。
【００７７】
いくつかの実装形態では、この過度の作動状態では、シャッター４０６は、開口４０８を通過する光の約５０％が、表示を出て、画像の形成に寄与できるようにする。いくつかの他の実装形態では、シャッターアセンブリ４００は、異なるパーセンテージの光が、ニュートラル状態で、開口４０８を通過した後、表示を出ることができるように構成される。たとえば、シャッターアセンブリ４００は、シャッターアセンブリ４００がニュートラル位置にあるとき、開口４０８を通過する光の約１０％、２５％、３３％、５０％、６６％、７５％、９０％、または任意の他のパーセンテージが表示を出ることができるように構成され得る。
【００７８】
図５および図６は、複数の表示要素を含む例示的な表示デバイス４０のシステムブロック図を示す。この表示デバイス４０はたとえば、スマートフォン、携帯電話またはモバイル電話であってもよい。しかし、表示デバイス４０の同じ構成要素またはそれらのわずかな変形例は、テレビジョン、コンピュータ、タブレット、電子リーダー、ハンドヘルドデバイスおよびポータブルメディアデバイスのような様々な種類の表示デバイスも例示している。
【００７９】
表示デバイス４０は、ハウジング４１と、ディスプレイ３０と、アンテナ４３と、スピーカ４５と、入力デバイス４８と、マイクロフォン４６とを含む。ハウジング４１は、射出成形および真空成形を含む様々な製造プロセスのいずれかによって形成されてもよい。また、ハウジング４１は、プラスチック、金属、ガラス、ゴム、およびセラミック、またはそれらの組合せを含むがそれらに限らない様々な材料のいずれかから作られてもよい。ハウジング４１は、異なる色を有するかまたはそれぞれの異なるロゴ、絵、または記号を含む取外し可能な他の部分と交換されてもよい取外し可能な部分（図示せず）を含んでもよい。
【００８０】
ディスプレイ３０は、本明細書において説明するように双安定ディスプレイまたはアナログディスプレイを含む様々なディスプレイのいずれかであってもよい。ディスプレイ３０は、プラズマ、エレクトロルミネセント（ＥＬ）ディスプレイ、ＯＬＥＤ、超ねじれネマチック（ＳＴＮ）ディスプレイ、ＬＣＤ、もしくは薄膜トランジスタ（ＴＦＴ）ＬＣＤのようなフラットパネルディスプレイ、またはブラウン管（ＣＲＴ）もしくは他のチューブデバイスのようなノンフラットパネルディスプレイを含むように構成されてもよい。また、ディスプレイ３０は、本明細書において説明するように、機械的光変調器ベースのディスプレイを含んでもよい。
【００８１】
表示デバイス４０の構成要素が図５に概略的に示されている。表示デバイス４０は、ハウジング４１を含み、表示デバイス４０内に少なくとも部分的に密閉された追加の構成要素を含んでもよい。たとえば、表示デバイス４０は、トランシーバ４７に結合され得るアンテナ４３を含むネットワークインターフェース２７を含む。ネットワークインターフェース２７は、表示デバイス４０に表示され得る画像データのソースであり得る。したがって、ネットワークインターフェース２７は、画像ソースモジュールの一例であるが、プロセッサ２１および入力デバイス４８も画像ソースモジュールとして働き得る。トランシーバ４７は、条件付けハードウェア５２に接続されたプロセッサ２１に接続されている。条件付けハードウェア５２は、信号を条件付ける（たとえば、信号をフィルタリングする、またはさもなければ操作する）ように構成されてもよい。条件付けハードウェア５２は、スピーカ４５およびマイクロフォン４６に接続され得る。プロセッサ２１は、入力デバイス４８およびドライバコントローラ２９にも接続され得る。ドライバコントローラ２９は、フレームバッファ２８およびアレイドライバ２２に結合され得、アレイドライバ２２はディスプレイアレイ３０に結合され得る。図５に特に表されない要素を含む、表示デバイス４０における１つまたは複数の要素は、メモリデバイスとして機能するように構成され、プロセッサ２１と通信するように構成され得る。いくつかの実装形態では、電源５０は、特定の表示デバイス４０設計において実質的にすべての構成要素に電力を供給することができる。
【００８２】
ネットワークインターフェース２７は、表示デバイス４０がネットワークを介して１つまたは複数のデバイスと通信することができるようにアンテナ４３とトランシーバ４７とを含む。ネットワークインターフェース２７は、たとえばプロセッサ２１のデータ処理要件を軽減するいくつかの処理機能を有してもよい。アンテナ４３は、信号を送受信することができる。いくつかの実装形態では、アンテナ４３は、ＩＥＥＥ１６．１１（ａ）、ＩＥＥＥ１６．１１（ｂ）、またはＩＥＥＥ１６．１１（ｇ）を含むＩＥＥＥ１６．１１標準、あるいはＩＥＥＥ８０２．１１ａ、ＩＥＥＥ８０２．１１ｂ、ＩＥＥＥ８０２．１１ｇ、ＩＥＥＥ８０２．１１ｎを含むＩＥＥＥ８０２．１１標準、およびそのさらなる実装形態に従ってＲＦ信号を送受信する。いくつかの他の実装形態では、アンテナ４３は、Ｂｌｕｅｔｏｏｔｈ（登録商標）標準に従ってＲＦ信号を送受信する。携帯電話の場合、アンテナ４３は、符号分割多元接続（ＣＤＭＡ）、周波数分割多元接続（ＦＤＭＡ）、時分割多元接続（ＴＤＭＡ）、汎欧州デジタル移動電話方式（ＧＳＭ（登録商標））、ＧＳＭ／汎用パケット無線通信システム（ＧＰＲＳ）、拡張データＧＳＭ環境（ＥＤＧＥ）、地上基盤無線（ＴＥＴＲＡ）、広帯域ＣＤＭＡ（Ｗ−ＣＤＭＡ）、エボリューションデータオプティマイズド（ＥＶ−ＤＯ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、ロングタームエボリューション（ＬＴＥ）、ＡＭＰＳ、または３Ｇ技術、４Ｇ技術、もしくは５Ｇ技術を利用するシステムのような、ワイヤレスネットワーク内で通信するのに使用される他の公知の信号を受信するように設計され得る。トランシーバ４７は、アンテナ４３から受信された信号をプロセッサ２１によって受信しさらに操作することができるように前処理してよい。トランシーバ４７は、プロセッサ２１から受信された信号を表示デバイス４０からアンテナ４３を介して送信することができるように処理してもよい。
【００８３】
いくつかの実装形態では、トランシーバ４７を受信機と置き換えてもよい。また、いくつかの実装形態では、ネットワークインターフェース２７を、プロセッサ２１に送信すべき画像データを記憶または生成することのできる画像ソースと置き換えてもよい。プロセッサ２１は、表示デバイス４０の動作全体を制御してもよい。プロセッサ２１は、圧縮された画像データなどのデータをネットワークインターフェース２７または画像ソースから受信し、データを処理して生画像データまたは生の画像データに容易に処理され得るフォーマットに変換する。プロセッサ２１は、処理済みのデータを記憶できるようにドライバコントローラ２９またはフレームバッファ２８に送ってもよい。生データは通常、画像内の各位置での画像特性を識別する情報を指す。たとえば、そのような画像特性は、色、彩度、およびグレースケールレベルを含んでもよい。
【００８４】
プロセッサ２１は、表示デバイス４０の動作を制御するマイクロコントローラ、ＣＰＵ、または論理ユニットを含んでもよい。条件付けハードウェア５２は、信号をスピーカ４５に送信し、マイクロフォン４６から信号を受信するための増幅器およびフィルタを含んでもよい。条件付けハードウェア５２は、表示デバイス４０内の離散構成要素であっても、プロセッサ２１もしくは他の構成要素内に組み込まれてもよい。
【００８５】
ドライバコントローラ２９は、プロセッサ２１によって生成された生画像データをプロセッサ２１から直接取り込んでも、フレームバッファ２８から取り込んでもよく、かつ生画像データをアレイドライバ２２に高速に送信できるように適切に再フォーマットすることができる。いくつかの実装形態では、ドライバコントローラ２９は、生画像をラスタ状フォーマットを有するデータフローに再フォーマットしてもよく、したがって、ドライバコントローラ２９は、ディスプレイアレイ３０を横切ってスキャンするのに適した時間順を有する。次いで、ドライバコントローラ２９は、フォーマット済みの情報をアレイドライバ２２に送る。ＬＣＤコントローラなどのドライバコントローラ２９は、スタンドアロン集積回路（ＩＣ）としてのシステムプロセッサ２１に関連付けられることが多いが、そのようなコントローラは多数の方法で実現されてもよい。たとえば、コントローラは、ハードウェアとしてプロセッサ２１に埋め込まれても、ソフトウェアとしてプロセッサ２１に埋め込まれても、ハードウェアにおいてアレイドライバ２２と完全に一体化されてもよい。
【００８６】
アレイドライバ２２は、ドライバコントローラ２９からフォーマット済みの情報を受信してもよく、表示要素のディスプレイの画素のｘ−ｙマトリックスからの数百本、場合によっては数千本（またはそれよりも多く）のリード線に１秒当たりに何度も印加される互いに平行な１組の波形に、映像データを再フォーマットしてもよい。いくつかの実装形態では、アレイドライバ２２およびディスプレイアレイ３０は、ディスプレイモジュールの一部である。いくつかの実装形態では、ドライバコントローラ２９、アレイドライバ２２、およびディスプレイアレイ３０は、ディスプレイモジュールの一部である。
【００８７】
いくつかの実装形態では、ドライバコントローラ２９、アレイドライバ２２、およびディスプレイアレイ３０は、本明細書において説明するディスプレイの種類のうちのいずれにも適切である。たとえば、ドライバコントローラ２９は、従来のディスプレイコントローラまたは双安定ディスプレイコントローラ（機械的光変調器表示要素コントローラなど）であってもよい。また、アレイドライバ２２は、従来のドライバまたは双安定ディスプレイドライバ（機械的光変調器表示要素コントローラなど）であってもよい。さらに、ディスプレイアレイ３０は、従来のディスプレイアレイまたは双安定ディスプレイアレイ（機械的光変調器表示要素のアレイを含むディスプレイなど）であってもよい。いくつかの実装形態では、ドライバコントローラ２９は、アレイドライバ２２と一体化されてもよい。そのような実装形態は、高集積度システム、たとえば、モバイルフォン、ポータブル電子デバイス、腕時計またはスモールエリアディスプレイにおいて有益であり得る。
【００８８】
いくつかの実装形態では、入力デバイス４８は、たとえばユーザが表示デバイス４０の動作を制御するのを可能にするように構成されてもよい。入力デバイス４８は、ＱＷＥＲＴＹキーボードもしくは電話キーパッドのようなキーパッド、ボタン、スイッチ、ロッカー、タッチ感応スクリーン、ディスプレイアレイ３０と一体化されたタッチ感応スクリーン、または圧力感応膜もしくは熱感応膜を含んでもよい。マイクロフォン４６は、表示デバイス４０用の入力デバイスとして構成されてもよい。いくつかの実施形態では、マイクロフォン４６を通じた音声コマンドを使用して表示デバイス４０の動作を制御してもよい。
【００８９】
電源５０は、様々なエネルギー貯蔵デバイスを含んでもよい。たとえば、電源５０は、ニッケルカドミウム電池またはリチウムイオン電池のような充電式バッテリーであってもよい。充電式バッテリーを使用する実装形態では、充電式バッテリーは、たとえば、壁コンセントあるいは光起電性デバイスまたはアレイから来る電力を使用して充電可能であり得る。代替的に、充電式バッテリーはワイヤレス充電可能であり得る。電源５０は、再生可能なエネルギー源、コンデンサ、またはプラスチック太陽電池もしくは塗料型太陽電池を含む太陽電池であってもよい。電源５０は、壁コンセントから電力を受けるように構成されてもよい。
【００９０】
いくつかの実装形態では、電子表示システム内のいくつかの場所に配置されてもよいドライバコントローラ２９に制御プログラム性が存在する。いくつかの他の実装形態では、アレイドライバ２２に制御プログラム性が存在する。上述の最適化は、任意の数のハードウェア構成要素および／またはソフトウェア構成要素ならびに様々な構成において実施されてもよい。
【００９１】
本明細書で使用する、項目のリスト「のうちの少なくとも１つ」を指すフレーズは、単一のメンバを含む、それらの項目の任意の組合せを指す。一例として、「ａ、ｂ、またはｃのうちの少なくとも１つ」は、ａ、ｂ、ｃ、ａ〜ｂ、ａ〜ｃ、ｂ〜ｃ、およびａ〜ｂ〜ｃを包含するものである。
【００９２】
本明細書において開示された各態様に関連して説明した様々な例示的な論理、論理ブロック、モジュール、および回路を実現するのに使用されるハードウェアおよびデータ処理装置は、本明細書において説明した機能を実行するように設計された、汎用シングルチッププロセッサまたは汎用マルチチッププロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラム可能な論理デバイス、離散ゲートもしくはトランジスタ論理、離散ハードウェア構成要素、またはそれらの任意の組合せによって実現または実行されてもよい。汎用プロセッサは、マイクロプロセッサ、または任意の従来のプロセッサ、コントローラ、マイクロコントローラ、もしくは状態マシンであってもよい。プロセッサはまた、ＤＳＰとマイクロプロセッサとの組合せ、複数のマイクロプロセッサ、ＤＳＰコアと連携する１つもしくは複数のマイクロプロセッサ、または、任意の他のそのような構成など、コンピューティングデバイスの組合せとして実装され得る。いくつかの実装形態では、特定のプロセスおよび方法は、所定の機能に特有の回路で実行されてもよい。
【００９３】
１つまたは複数の態様では、前述の機能は、本明細書において開示された構造およびそれらの構造均等物を含むハードウェア、デジタル電子回路、コンピュータソフトウェア、ファームウェア、またはそれらの任意の組合せにおいて実現されてもよい。本明細書において説明した主題の実装形態は、１つまたは複数のコンピュータプログラム、すなわち、データ処理装置によって実行できるようにまたはデータ処理装置の動作を制御するためにコンピュータ記憶媒体上に符号化されたコンピュータプログラム命令の１つまたは複数のモジュールとして実現されてもよい。
【００９４】
機能は、ソフトウェアで実装される場合、１つもしくは複数の命令またはコードとしてコンピュータ可読媒体上に記憶され、またはコンピュータ可読媒体を介して送信され得る。本明細書で開示した方法またはアルゴリズムのプロセスは、コンピュータ可読媒体上に存在し得るプロセッサ実行可能ソフトウェアモジュール内で実施され得る。コンピュータ可読媒体は、ある場所から別の場所にコンピュータプログラムを転送することが可能になり得る任意の媒体を含む、コンピュータ記憶媒体と通信媒体の両方を含む。記憶媒体は、コンピュータによってアクセスできる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、命令もしくはデータ構造の形式で所望のプログラムコードを記憶するために使用され得るとともに、コンピュータによってアクセスされ得る任意の他の媒体を含むことができる。また、いかなる接続もコンピュータ可読媒体と適切に呼ぶことができる。本明細書で使用する場合、ディスク（ｄｉｓｋ）およびディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ディスク（ｄｉｓｋ）は、通常、磁気的にデータを再生するが、ディスク（ｄｉｓｃ）は、レーザーで光学的にデータを再生する。前述の組合せも、コンピュータ可読媒体の範囲内に含まれるべきである。加えて、方法またはアルゴリズムの動作は、コンピュータプログラム製品に組み込まれ得る、機械可読媒体およびコンピュータ可読媒体上のコードおよび命令の１つまたは任意の組合せまたはセットとして存在することができる。
【００９５】
当業者には、本開示において説明した実装形態の様々な修正形態が容易に明らかになろう。本明細書において定められた一般原則は、本開示の趣旨または範囲から逸脱せずに他の実装形態に適用されてもよい。したがって、特許請求の範囲は、本明細書に示された実装形態に限定されるようには意図されておらず、本開示、原理および本明細書に開示された新規の特徴と一致する最も広い範囲を認められることになっている。
【００９６】
さらに、当業者なら、「上側の」、「下側の」という用語は、図を説明する容易さのために用いられることがあり、適切に配向されたページ上の図の配向に対応する相対的位置を示すものであって、実施されたときの任意のデバイスの本来の配向を反映していない可能性があることを容易に理解するであろう。
【００９７】
本明細書において別々の実装形態の文脈で説明したある特徴は、単一の実装形態において組み合わされて実現されてもよい。逆に、単一の実装形態の文脈で説明した様々な特徴を複数の実装形態において別々に実現しても、任意の適切な部分組合せとして実現してもよい。さらに、各特徴は、上記ではある組合せにおいて働くように記載されており、場合によっては最初からそのように請求されているが、請求された組合せの１つまたは複数の特徴は、場合によってはその組合せから実現されてもよく、請求された組合せは、部分組合せまたは部分組合せの変形例を対象とするものであってもよい。
【００９８】
同様に、動作は特定の順序で図面に示されているが、そのような動作は、望ましい結果を達成するために、示される特定の順序でまたは順番に実行される必要がないことを、あるいはすべての図示の動作が実行される必要があるとは限らないことを、理解されたい。また、各図面は、例示的な１つまたは複数のプロセスを流れ図の形で概略的に示してもよい。しかし、図示されていない他の動作を概略的に示されている例示的なプロセスに組み込んでもよい。たとえば、１つまたは複数の追加の動作が、例示された動作のうちの任意の動作の前もしくは後、または任意の動作と同時に、または任意の動作同士の間に実行されてもよい。ある状況では、マルチタスキングおよび並列処理が有利である場合がある。さらに、上記で説明した各実装形態における様々なシステム構成要素の分離は、すべての実装形態においてそのような分離が必要とされるものと理解されるべきではなく、前述のプログラム構成要素およびシステムが概して単一のソフトウェアプロダクトとして一体化されるかまたは複数のソフトウェアプロダクトとしてパッケージ化されてもよいことを理解されたい。また、他の実装形態も以下の特許請求の範囲の範囲内である。場合によっては、特許請求の範囲に記載された動作を異なる順序で実行してもよく、しかも望ましい結果を実現することができる。
【符号の説明】
【００９９】
２１  プロセッサ
２２  アレイドライバ
２７  ネットワークインターフェース
２８  フレームバッファ
２９  ドライバコントローラ
３０  ディスプレイアレイ
４０  表示デバイス
４１  ハウジング
４３  アンテナ
４５  スピーカ
４６  マイクロフォン
４７  トランシーバ
４８  入力デバイス
５０  電源
５２  条件付けハードウェア
１００  表示装置
１０２  光変調器
１０４  画像
１０５  ランプ
１０６  ピクセル
１０８  シャッター
１０９  開口
１１０  相互接続
１１２  相互接続
１１４  相互接続
１２０  ホストデバイス
１２２  ホストプロセッサ
１２４  環境センサー
１２６  ユーザ入力モジュール
１２８  表示装置
１３０  走査ドライバ
１３２  データドライバ
１３４  コントローラ
１３８  共通ドライバ
１４０〜１４６  ランプ
１４８  ランプドライバ
１５０  表示要素のアレイ
２００  シャッターアセンブリ
２０１  ビーム
２０２  アクチュエータ
２０３  ビーム
２０４  アクチュエータ
２０５  ビーム
２０６  シャッター
２０７  ビーム
２０８  開口
２０９  保持電極
２１０  シャッターアセンブリ
２１９  保持電極
２２０  シャッターアセンブリ
２２９  保持電極
２５１  アンカー
３００  シャッターアセンブリ
３０１  ビーム
３０２  アクチュエータ
３０３  ビーム
３０４  アクチュエータ
３０５  ビーム
３０６  シャッター
３０７  ビーム
３０８  開口
３７０  隣接の垂直軸
３８０  隣接の水平軸
４００  シャッターアセンブリ
４０１  ビーム
４０２  アクチュエータ
４０３  ビーム
４０４  アクチュエータ
４０５  ビーム
４０６  シャッター
４０７  ビーム
４０８  開口
４１１  曲がりヒンジ
４１３  曲がりヒンジ
４１５  機械的ストップ
４１７  機械的ストップ
４５１  アンカー
【図１Ａ】
2016521371.tif 000003
【図１Ｂ】
2016521371.tif 000004
【図２Ａ】
2016521371.tif 000005
【図２Ｂ】
2016521371.tif 000006
【図２Ｃ】
2016521371.tif 000007
【図２Ｄ】
2016521371.tif 000008
【図２Ｅ】
2016521371.tif 000009
【図３Ａ】
2016521371.tif 000010
【図３Ｂ】
2016521371.tif 000011
【図３Ｃ】
2016521371.tif 000012
【図３Ｄ】
2016521371.tif 000013
【図４Ａ】
2016521371.tif 000014
【図４Ｂ】
2016521371.tif 000015
【図４Ｃ】
2016521371.tif 000016
【図５】
2016521371.tif 000017
【図６】
2016521371.tif 000018
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
装置であって、
可動の光遮断構成要素と、
前記光遮断構成要素に結合され、完全光遮断状態と、実質的透過状態と、部分透過状態を含む３状態の間で前記光遮断構成要素を移動させるように構成された第１および第２のアクチュエータであり、前記３状態のうちの少なくとも１つが、前記第１と第２の両方のアクチュエータが非作動状態であるニュートラル状態である、第１および第２のアクチュエータと、
前記光遮断構成要素を前記３状態の各々に選択的に移動させるように前記第１、第２、および第３のアクチュエータを制御するように構成されたコントローラと、
作動されると、前記光遮断構成要素を前記ニュートラル状態に維持するように構成された第３のアクチュエータと
を備える装置。
【請求項２】
前記第３のアクチュエータが、前記光遮断構成要素の移動の方向に対して前記光遮断構成要素のそばまたは下に配置され、前記ニュートラル状態の前記光遮断構成要素の位置に揃えられる電極を含む、請求項１に記載の装置。
【請求項３】
前記第３のアクチュエータが透明な導体から形成される、請求項１に記載の装置。
【請求項４】
前記第３のアクチュエータとともに作動されるとき、前記光遮断構成要素を前記ニュートラル状態に維持するように構成された第４のアクチュエータをさらに備える、請求項１に記載の装置。
【請求項５】
前記第１および第２のアクチュエータが、前記部分透過状態と、前記実質的透過状態および前記完全光遮断状態のうちの少なくとも１つとの間でシャッターを移動させるとき、実質的に、前記光遮断構成要素が支持されている基板と平行した平面内で前記光遮断構成要素上に対向する回転力を与えるように構成される、請求項１に記載の装置。
【請求項６】
前記第１および第２のアクチュエータが、前記実質的透過状態と前記完全光遮断状態との間でシャッターを移動させるとき、実質的に、前記光遮断構成要素が支持されている基板と平行した平面内で前記光遮断構成要素上に対向する線形力を与えるように、さらに構成される、請求項５に記載の装置。
【請求項７】
前記第１のアクチュエータが、前記光遮断構成要素の第１のコーナーに結合された第１のコンプライアントビーム電極を含み、前記第２のアクチュエータが、前記光遮断構成要素の第２のコーナーに結合された第２のコンプライアントビーム電極を含み、前記第１のコーナーおよび第２のコーナーが、前記光遮断構成要素上の互いの対角線方向に反対側にある、請求項５に記載の装置。
【請求項８】
作動されると、前記光遮断構成要素を前記ニュートラル状態に維持するように構成された第３のアクチュエータをさらに備える、請求項７に記載の装置。
【請求項９】
前記第３のアクチュエータが、前記ニュートラル状態の前記光遮断構成要素の位置のそばまたは下に配置される電極を含む、請求項８に記載の装置。
【請求項１０】
前記第３のアクチュエータとともに作動されるとき、前記光遮断構成要素を前記ニュートラル状態に維持するように構成された第４のアクチュエータをさらに備える、請求項８に記載の装置。
【請求項１１】
前記第１および第２のアクチュエータが、第１の開口に対して前記光遮断構成要素を回転させるように構成され、前記第１の開口が、前記光遮断構成要素の線形の移動の方向に対してある角度で配置される、請求項１に記載の装置。
【請求項１２】
第１の光遮断構成要素が、第１のピクセルに含まれ、前記装置が、
前記第１のピクセルに隣接した第２のピクセルにおける第２の光遮断構成要素と、
第２の開口に対して前記第２の光遮断構成要素を回転させるように構成された第３のアクチュエータおよび第４のアクチュエータであり、前記第２の開口が、前記第２の光遮断構成要素の線形の移動の方向に対してある角度で配置され、前記第２の開口の前記角度が、前記第１および第２のピクセルを分離する隣接の軸を介した前記第１の開口の前記角度の鏡像である、第３のアクチュエータおよび第４のアクチュエータと
をさらに含む、請求項１１に記載の装置。
【請求項１３】
ディスプレイと、
前記ディスプレイと通信するように構成され、画像データを処理するように構成されているプロセッサと、
前記プロセッサと通信するように構成されたメモリデバイスと
をさらに備える、請求項１に記載の装置。
【請求項１４】
少なくとも１つの信号をディスプレイに送るように構成されたドライバ回路と、
画像データの少なくとも一部を前記ドライバ回路に送るように構成されたコントローラと
をさらに備える、請求項１に記載の装置。
【請求項１５】
画像データをプロセッサに送るように構成された画像ソースモジュールをさらに備え、前記画像ソースモジュールが、受信機、トランシーバ、および送信機のうちの少なくとも１つを備える、
請求項１に記載の装置。
【請求項１６】
入力データを受信し、前記入力データをプロセッサに伝えるように構成された入力デバイスをさらに備える、請求項１に記載の装置。
【請求項１７】
装置であって、
可動の光遮断構成要素と、
前記可動の光遮断構成要素に結合され、前記光遮断構成要素を、第１の状態と第２の状態との間で線形に移動させ、前記第２の状態と第３の状態との間で回転移動させるように構成された第１および第２のアクチュエータと、
作動されると、前記光遮断構成要素をニュートラル状態に維持するように構成された第３のアクチュエータと
を備える装置。
【請求項１８】
前記第１の状態が実質的透過状態であり、前記第２の状態が完全光遮断状態であり、前記第３の状態が部分透過状態であり、前記実質的透過状態が、第１の電圧を前記第１のアクチュエータに印加することによって達成され、前記完全光遮断状態が、第２の電圧を前記第２のアクチュエータに印加することによって達成され、前記部分透過状態が、第３の電圧を前記第２のアクチュエータに印加することによって達成され、前記第３の電圧が前記第２の電圧よりも大きい
請求項１７に記載の装置。
【請求項１９】
前記第１および第２のアクチュエータが各々、電極のロードビームを前記光遮断構成要素に結合するヒンジを有するコンプライアントビーム電極を含む、請求項１８に記載の装置。
【請求項２０】
前記光遮断構成要素に結合された第１および第２の機械的ストップをさらに備え、前記第１および第２の機械的ストップが、それぞれ前記第１および第２のアクチュエータの方への前記光遮断構成要素の動きを制限するように構成される、請求項１８に記載の装置。
【請求項２１】
前記第３のアクチュエータが、前記ニュートラル状態の前記光遮断構成要素の位置のそばまたは下に配置される電極を含む、請求項１７に記載の装置。
【請求項２２】
前記第３のアクチュエータが透明な導体から形成される、請求項１７に記載の装置。
【請求項２３】
前記第３のアクチュエータとともに作動されるとき、前記光遮断構成要素を前記ニュートラル状態に維持するように構成された第４のアクチュエータを備える、請求項１７に記載の装置。
【請求項２４】
前記第１のアクチュエータが、前記光遮断構成要素の第１のコーナーに結合された第１のコンプライアントビーム電極を含み、前記第２のアクチュエータが、前記光遮断構成要素の第２のコーナーに結合された第２のコンプライアントビーム電極を含み、前記第１のコーナーおよび第２のコーナーが、前記光遮断構成要素上の互いの対角線方向に反対側にある、請求項１７に記載の装置。
【請求項２５】
作動されると、前記光遮断構成要素を前記ニュートラル状態に維持するように構成された第３のアクチュエータをさらに備える、請求項２４に記載の装置。
【請求項２６】
前記第３のアクチュエータが、前記ニュートラル状態の前記光遮断構成要素の位置のそばまたは下に配置される電極を含む、請求項２４に記載の装置。
【請求項２７】
前記第３のアクチュエータとともに作動されるとき、前記光遮断構成要素を前記ニュートラル状態に維持するように構成された第４のアクチュエータをさらに備える、請求項２４に記載の装置。
【請求項２８】
前記第１および第２のアクチュエータが、第１の開口に対して前記光遮断構成要素を回転させるように構成され、前記第１の開口が、前記装置が組み込まれる表示装置の軸に対してある角度で配置される、請求項２４に記載の装置。
【手続補正２】
【補正対象書類名】図面
【補正対象項目名】図２Ｄ
【補正方法】変更
【補正の内容】
【図２Ｄ】
2016521371.tif 000019
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
装置であって、
可動の光遮断構成要素と、
前記装置に結合され、完全光遮断状態と、実質的透過状態と、部分透過状態を含む３状態の間で前記光遮断構成要素を移動させるように構成された第１および第２のアクチュエータであり、前記３状態のうちの少なくとも１つが、前記第１と第２の両方のアクチュエータが非作動状態であるニュートラル状態である、第１および第２のアクチュエータと、
作動されると、前記光遮断構成要素を前記ニュートラル状態に維持するように構成された第３のアクチュエータと、
前記光遮断構成要素を前記３状態の各々に選択的に移動させるように前記第１、第２、および第３のアクチュエータを制御するように構成されたコントローラと
を備える装置。
【請求項２】
前記第３のアクチュエータが、前記ニュートラル状態の前記光遮断構成要素の位置のそばまたは下に配置された電極を含む、請求項１に記載の装置。
【請求項３】
前記第３のアクチュエータが透明な導体から形成される、請求項２に記載の装置。
【請求項４】
前記第３のアクチュエータとともに作動されるとき、前記光遮断構成要素を前記ニュートラル状態に維持するように構成された第４のアクチュエータをさらに備える、請求項２に記載の装置。
【請求項５】
前記第１および第２のアクチュエータが、前記部分透過状態と、前記実質的透過状態および前記完全光遮断状態のうちの少なくとも１つとの間でシャッターを移動させるとき、実質的に、前記光遮断構成要素が支持されている基板と平行した平面内で前記光遮断構成要素上に対向する回転力を与えるように構成される、請求項１に記載の装置。
【請求項６】
前記第１および第２のアクチュエータが、前記実質的透過状態と前記完全光遮断状態との間でシャッターを移動させるとき、実質的に、前記光遮断構成要素が支持されている基板と平行した平面内で前記光遮断構成要素上に対向する線形力を与えるように、さらに構成される、請求項５に記載の装置。
【請求項７】
前記第１のアクチュエータが、前記光遮断構成要素の第１のコーナーに結合された第１のコンプライアントビーム電極を含み、前記第２のアクチュエータが、前記光遮断構成要素の第２のコーナーに結合された第２のコンプライアントビーム電極を含み、前記第１のコーナーおよび第２のコーナーが、前記光遮断構成要素上の互いの対角線方向に反対側にある、請求項５に記載の装置。
【請求項８】
作動されると、前記光遮断構成要素を前記ニュートラル状態に維持するように構成された第３のアクチュエータをさらに備える、請求項７に記載の装置。
【請求項９】
前記第３のアクチュエータが、前記ニュートラル状態の前記光遮断構成要素の位置のそばまたは下に配置された電極を含む、請求項８に記載の装置。
【請求項１０】
前記第３のアクチュエータとともに作動されるとき、前記光遮断構成要素を前記ニュートラル状態に維持するように構成された第４のアクチュエータをさらに備える、請求項８に記載の装置。
【請求項１１】
前記第１および第２のアクチュエータが、第１の開口に対して前記光遮断構成要素を回転させるように構成され、前記第１の開口が、前記装置が組み込まれる表示装置の軸に対してある角度で配置される、請求項１に記載の装置。
【請求項１２】
第１の光遮断構成要素が、第１のピクセルに含まれ、前記装置が、
前記第１のピクセルに隣接した第２のピクセルにおける第２の光遮断構成要素と、
第２の開口に対して前記第２の光遮断構成要素を回転させるように構成された第３のアクチュエータおよび第４のアクチュエータであり、前記第２の開口が、表示装置軸に対してある角度で配置され、前記第２の開口の前記角度が、前記第１および第２のピクセルを分離する隣接の軸を介した前記第１の開口の前記角度の鏡像である、第３のアクチュエータおよび第４のアクチュエータと
をさらに含む、請求項１１に記載の装置。
【請求項１３】
ディスプレイと、
前記ディスプレイと通信するように構成され、画像データを処理するように構成されているプロセッサと、
前記プロセッサと通信するように構成されたメモリデバイスと
をさらに備える、請求項１に記載の装置。
【請求項１４】
少なくとも１つの信号をディスプレイに送るように構成されたドライバ回路と、
画像データの少なくとも一部を前記ドライバ回路に送るように構成されたコントローラと
をさらに備える、請求項１に記載の装置。
【請求項１５】
画像データをプロセッサに送るように構成された画像ソースモジュールをさらに備え、前記画像ソースモジュールが、受信機、トランシーバ、および送信機のうちの少なくとも１つを備える、
請求項１に記載の装置。
【請求項１６】
入力データを受信し、前記入力データをプロセッサに伝えるように構成された入力デバイスをさらに備える、請求項１に記載の装置。
【請求項１７】
装置であって、
可動の光遮断構成要素と、
前記装置に結合され、前記光遮断構成要素を、第１の状態と第２の状態との間で線形に移動させ、前記第２の状態と第３の状態との間で回転移動させるように構成された第１および第２のアクチュエータと、
を備え、
前記第１の状態が実質的透過状態であり、前記第２の状態が完全光遮断状態であり、前記第３の状態が部分透過状態であり、前記実質的透過状態が、第１の電圧を前記第１のアクチュエータに印加することによって達成され、前記完全光遮断状態が、第２の電圧を前記第２のアクチュエータに印加することによって達成され、前記部分透過状態が、第３の電圧を前記第２のアクチュエータに印加することによって達成され、前記第３の電圧が前記第２の電圧よりも大きい
装置。
【請求項１８】
前記第１および第２のアクチュエータが各々、電極のロードビームを前記光遮断構成要素に結合するヒンジを有するコンプライアントビーム電極を含む、請求項１７に記載の装置。
【請求項１９】
前記光遮断構成要素に結合された第１および第２の機械的ストップをさらに備え、前記第１および第２の機械的ストップが、それぞれ前記第１および第２のアクチュエータの方への前記光遮断構成要素の動きを制限するように構成される、請求項１７に記載の装置。
【請求項２０】
第３のアクチュエータが、ニュートラル状態の前記光遮断構成要素の位置のそばまたは下に配置された電極を含む、請求項１７に記載の装置。
【請求項２１】
第３のアクチュエータが透明な導体から形成される、請求項１７に記載の装置。
【請求項２２】
第３のアクチュエータとともに作動されるとき、前記光遮断構成要素をニュートラル状態に維持するように構成された第４のアクチュエータを備える、請求項１７に記載の装置。
【請求項２３】
前記第１のアクチュエータが、前記光遮断構成要素の第１のコーナーに結合された第１のコンプライアントビーム電極を含み、前記第２のアクチュエータが、前記光遮断構成要素の第２のコーナーに結合された第２のコンプライアントビーム電極を含み、前記第１のコーナーおよび第２のコーナーが、前記光遮断構成要素上の互いの対角線方向に反対側にある、請求項１７に記載の装置。
【請求項２４】
作動されると、前記光遮断構成要素をニュートラル状態に維持するように構成された第３のアクチュエータをさらに備える、請求項２３に記載の装置。
【請求項２５】
第３のアクチュエータが、ニュートラル状態の前記光遮断構成要素の位置のそばまたは下に配置された電極を含む、請求項２３に記載の装置。
【請求項２６】
第３のアクチュエータとともに作動されるとき、前記光遮断構成要素をニュートラル状態に維持するように構成された第４のアクチュエータをさらに備える、請求項２３に記載の装置。
【請求項２７】
前記第１および第２のアクチュエータが、第１の開口に対して前記光遮断構成要素を回転させるように構成され、前記第１の開口が、前記装置が組み込まれる表示装置の軸に対してある角度で配置される、請求項２３に記載の装置。
【国際調査報告】
2016521371.tif 000020
2016521371.tif 000021
2016521371.tif 000022
2016521371.tif 000023
2016521371.tif 000024